(57)【要約】【課題】過大な力が加わった場合にも、衣類の布地を傷め難い装飾具を提供する。【解決手段】本発明は、衣類（２）のボタン穴（２ｃ）に取り付けて使用する装飾具（１）であって、ボタン穴が設けられた布地の裏側に配置されるプレート部（６ａ）、及びこのプレート部に設けられ、ボタン穴を通して布地の表側に延びる連結部（６ｂ）を備えた装飾具ベース（６）と、連結部と係合する係合部（１０ａ）を備え、布地の表側に配置される装飾具本体（４）と、を有し、連結部と係合部が係合されることにより、布地を間に挟んで装飾具ベースと装飾具本体が着脱可能に連結されることを特徴としている。【選択図】図１
2009165698.tif 000002
【特許請求の範囲】
【請求項１】
衣類のボタン穴に取り付けて使用する装飾具であって、
上記ボタン穴が設けられた布地の裏側に配置されるプレート部、及びこのプレート部に設けられ、上記ボタン穴を通して上記布地の表側に延びる連結部を備えた装飾具ベースと、
上記連結部と係合する係合部を備え、上記布地の表側に配置される装飾具本体と、を有し、
上記連結部と上記係合部が係合されることにより、上記布地を間に挟んで上記装飾具ベースと上記装飾具本体が着脱可能に連結されることを特徴とする装飾具。
【請求項２】
上記連結部と上記係合部は、上記装飾具本体を上記装飾具ベースに対して回動させることにより互いに係合される請求項１記載の装飾具。
【請求項３】
上記連結部が、上記プレート部から立ち上がるように形成された基部と、上記プレート部に対してほぼ平行に上記基部から延びる平行部と、を備えた２つのＬ字形部材からなり、上記係合部が上記平行部と係合される請求項１又は２記載の装飾具。
【請求項４】
上記係合部には、所定の中心点を中心とする円弧状に延び、上記中心点に対してほぼ点対称に配置された２本の円弧状スロットと、これらの円弧状スロットの端部から上記中心点を中心とする円の半径方向に延びる半径方向スロットが形成されている請求項３記載の装飾具。
【請求項５】
上記連結部が、上記プレート部から立ち上がるように形成された２本の基部と、上記プレート部に対してほぼ平行に延び、上記２本の基部を連結する平行部と、を備えた門形部材からなり、上記係合部が上記平行部と係合される請求項１又は２記載の装飾具。
【請求項６】
上記係合部には、上記平行部を受け入れる直線状スロットと、この直線状スロットの両端から上記直線状スロットの中点を中心とする円弧状に延び、上記中心点に対してほぼ点対称に配置された２本の円弧状スロットが形成されている請求項５記載の装飾具。
【請求項７】
上記装飾具本体が、着脱可能に構成された２つ以上の部材からなる請求項１乃至６の何れか１項に記載の装飾具。
【請求項８】
さらに、スナップ止め部材を有し、上記プレート部の背面側には、上記スナップ止め部材と着脱可能に結合されるスナップ結合部が形成されている請求項１乃至７の何れか１項に記載の装飾具。
【請求項９】
上記プレート部の背面側には、上記装飾具ベースを第２の布地に取り付けるための糸が取り付けられており、さらに、上記装飾具ベースを上記第２の布地に着脱可能に取り付けるための装飾具ベース取付具を有し、この装飾具ベース取付具は、上記第２の布地に形成したベース取付穴に挿通された上記糸を通すための主貫通孔が形成された取付具本体部と、上記主貫通孔を通った上記糸を絡めるための糸係留部と、この糸係留部に絡めた上記糸の端部を挟んで固定するための糸挟持部と、を備えている請求項１乃至７の何れか１項に記載の装飾具。
【発明の詳細な説明】
【技術分野】
【０００１】
本発明は装飾具に関し、特に、衣類のボタン穴に取り付けて使用する装飾具に関する。
【背景技術】
【０００２】
従来、ブローチ、バッジ等の衣類に取り付けて使用する装飾具が普及しているが、これらは、安全ピン状の金具によって衣類の布地に取り付けるように構成されている。また、これらのブローチ、バッジ等は単に装飾具として機能するのみであり、ボタンやスナップのように、上着の左右の前身頃を連結する機能等を備えたものではない。
【発明の開示】
【発明が解決しようとする課題】
【０００３】
しかしながら、ブローチ等の装飾具は、安全ピン状の金具によって衣類の布地に取り付ける構造であるため、装飾具本体に過大な力が加わると、それを取り付けている布地を傷めてしまう虞がある。また、ブローチ等の装飾具は、単に装飾具として機能するのみであるため、衣類にはブローチ等の他にボタン等を取り付ける必要がある。このため、ブローチ等を左右の前身頃の合わせ目の装飾に使用することは、デザイン上困難であるという問題がある。
【０００４】
従って、本発明は、過大な力が加わった場合にも、衣類の布地を傷め難い装飾具を提供することを目的としている。
また、本発明は、装飾機能に加え、二つの布地を連結する機能を備えた装飾具を提供することを目的としている。
【課題を解決するための手段】
【０００５】
上述した課題を解決するために、本発明は、衣類のボタン穴に取り付けて使用する装飾具であって、ボタン穴が設けられた布地の裏側に配置されるプレート部、及びこのプレート部に設けられ、ボタン穴を通して布地の表側に延びる連結部を備えた装飾具ベースと、連結部と係合する係合部を備え、布地の表側に配置される装飾具本体と、を有し、連結部と係合部が係合されることにより、布地を間に挟んで装飾具ベースと装飾具本体が着脱可能に連結されることを特徴としている。
【０００６】
このように構成された本発明においては、ボタン穴が設けられた布地の裏側に装飾具ベースを配置し、そのプレート部に設けられた連結部がボタン穴を通して布地の表側に延びるようにする。次に、布地の表側に装飾具本体を配置して、装飾具ベースの連結部と装飾具本体の係合部を係合させる。これにより、布地を間に挟んで装飾具ベースと装飾具本体が着脱可能に連結される。
このように構成された本発明によれば、装飾具に過大な力が加わった場合に、衣類の布地を傷めてしまうのを防止することができる。
【０００７】
本発明において、好ましくは、連結部と係合部は、装飾具本体を装飾具ベースに対して回動させることにより互いに係合される。
このように構成された本発明によれば、装飾具本体と装飾具ベースを容易に着脱することができる。また、使用者は、好みに応じて装飾具本体を交換することにより多様な装飾を楽しむことができる。
【０００８】
本発明において、好ましくは、連結部は、プレート部から立ち上がるように形成された基部と、プレート部に対してほぼ平行に基部から延びる平行部と、を備えた２つのＬ字形部材からなり、係合部が平行部と係合される。
【０００９】
本発明において、好ましくは、係合部には、所定の中心点を中心とする円弧状に延び、中心点に対してほぼ点対称に配置された２本の円弧状スロットと、これらの円弧状スロットの端部から中心点を中心とする円の半径方向に延びる半径方向スロットが形成されている。
このように構成された本発明によれば、互いに回動させることにより着脱することができる装飾具本体及び装飾具ベースを、簡単な構造で構成することができる。
【００１０】
本発明において、好ましくは、連結部は、プレート部から立ち上がるように形成された２本の基部と、プレート部に対してほぼ平行に延び、２本の基部を連結する平行部と、を備えた門形部材からなり、係合部が平行部と係合される。
【００１１】
本発明において、好ましくは、係合部には、平行部を受け入れる直線状スロットと、この直線状スロットの両端から直線状スロットの中点を中心とする円弧状に延び、中心点に対してほぼ点対称に配置された２本の円弧状スロットが形成されている。
このように構成された本発明によれば、互いに回動させることにより着脱することができる装飾具本体及び装飾具ベースを、簡単な構造で構成することができる。
【００１２】
本発明において、好ましくは、装飾具本体は、着脱可能に構成された２つ以上の部材からなる。
このように構成された本発明によれば、装飾具本体を構成する２つ以上の部材の組み合わせを変えることにより、使用者は、より多様な装飾を楽しむことができる。
【００１３】
本発明において、好ましくは、さらに、スナップ止め部材を有し、プレート部の背面側には、スナップ止め部材と着脱可能に結合されるスナップ結合部が形成されている。
このように構成された本発明によれば、装飾機能の他に、二つの布地を連結する機能をも果たすことができる。
【００１４】
本発明において、好ましくは、プレート部の背面側には、装飾具ベースを第２の布地に取り付けるための糸が取り付けられており、さらに、装飾具ベースを第２の布地に着脱可能に取り付けるための装飾具ベース取付具を有し、この装飾具ベース取付具は、第２の布地に形成したベース取付穴に挿通された糸を通すための主貫通孔が形成された取付具本体部と、主貫通孔を通った糸を絡めるための糸係留部と、この糸係留部に絡めた糸の端部を挟んで固定するための糸挟持部と、を備えている。
このように構成された本発明によれば、装飾具ベースを容易に着脱、交換することができる。
【発明の効果】
【００１５】
本発明の装飾具によれば、過大な力が加わった場合にも、それを取り付けた衣類の布地を傷め難い。
また、本発明の装飾具によれば、装飾機能に加え、二つの布地を連結する機能を果たすことができる。
【発明を実施するための最良の形態】
【００１６】
次に、添付図面を参照して、本発明の好ましい実施形態による装飾具を説明する。
まず、図１乃至図５を参照して、本発明の第１実施形態による装飾具を説明する。図１は、本実施形態による装飾具を衣類に取り付けた状態を示す斜視図である。図２は、本実施形態による装飾具を衣類に取り付ける状態を示す断面図である。図３は、本実施形態による装飾具の装飾具ベースを示す斜視図である。図４は、本実施形態による装飾具の装飾具本体を分解した状態を示す側面断面図である。
【００１７】
図１に示すように、本発明の第１実施形態による装飾具１は、ジャケット等の衣類２に取り付けて使用する。図１においては、衣類２の第１ボタンの位置には本実施形態の装飾具１が取り付けられた状態で図示され、第２ボタンの位置には装飾具１を取り付ける際に衣類２の左右の前身頃を所定の位置に重ねた状態が示され、第３ボタンの位置には装飾具１が取り外された状態が示されている。さらに、図１に示すように、装飾具１は、装飾具本体４と、装飾具ベース６と、を有する。
【００１８】
本実施形態においては、装飾具ベース６は衣類２の内側の前身頃（図１における右身頃２ａ）に取り付けられ、衣類２の外側の前身頃（図１における左身頃２ｂ）に設けられたボタン穴２ｃを通して装飾具ベース６と装飾具本体４を連結することにより、左右の前身頃が着脱可能に連結される。即ち、図２に示すように、右身頃２ａに取り付けられた装飾具ベース６の一部が、右身頃２ａと重ね合わされる左身頃２ｂに設けられたボタン穴２ｃを通して左身頃２ｂの表側まで延びる。次いで、左身頃２ｂの表側まで延びた装飾具ベース６と、装飾具本体４が係合されることにより、左身頃２ｂを挟んで装飾具ベース６と装飾具本体４が着脱可能に連結される。
【００１９】
装飾具ベース６は、図３に示すように、右身頃２ａの表側、左身頃２ｂの裏側に配置されるプレート部６ａと、このプレート部６ａに設けられた連結部である２つのＬ字形部材６ｂと、プレート部６ａの中心に設けられた中心シャフト６ｃと、を有する。
【００２０】
プレート部６ａは長円形の金属の薄板によって構成されており、衣類の前身頃等の布地に縫いつけることができるように構成されている。また、変形例として、プレート部６ａは布地に接着しても良いし、鳩目等の金具で布地に固定できるように構成しても良い。
【００２１】
Ｌ字形部材６ｂは、プレート部６ａからほぼ直角に立ち上がるように形成された基部と、この基部の先端からプレート部６ａに対してほぼ平行に延びる平行部と、を備えたＬ字形に曲げられた針金状の部材である。また、２つのＬ字形部材６ｂは、プレート部６ａ中央の中心シャフト６ｃの両側に、対称に設けられており、基部から延びる平行部が中心シャフト６ｃに向かって延びるように構成されている。中心シャフト６ｃは、プレート部６ａの中心からプレート部６ａに対してほぼ直角に延びる棒状の部材であり、Ｌ字形部材６ｂの平行部を僅かに越える長さに構成されている。
【００２２】
装飾具本体４は、図４に示すように、装飾カバー８と、この装飾カバー８の下側に嵌め込まれる底部材１０と、これらの間に配置されるコイルスプリング１２及び円板１４と、を有する。
【００２３】
装飾カバー８は、底部材１０を受け入れる底部材受入部８ａが底面に形成されたカップ状の部材であり、その上面は貴石８ｂ等により装飾が施されている。また、装飾カバー８は、底部材１０を底部材受入部８ａに圧入することにより、底部材１０と嵌着されるように構成されている。
【００２４】
底部材１０は、係合部である円形の底面部１０ａと、その周囲に形成された縁部１０ｂを有する概ね盆状の部材である。また、底面部１０ａには、Ｌ字形部材６ｂ及び中心シャフト６ｃを受け入れるためのスロット及び穴が形成されている。これらの構成については後述する。
【００２５】
コイルスプリング１２は、底部材１０の縁部１０ｂの内壁面に沿って収容されるように構成された、背の低いコイルばねである。コイルスプリング１２は、その下側に配置された円板１４を付勢して、底部材１０の底面部１０ａに押し付けるように構成されている。また、円板１４の中心には、中心シャフト６ｃを通すための中心穴１４ａが設けられている。
【００２６】
次に、図５を参照して、底部材１０の構成を詳細に説明する。図５は、本実施形態による装飾具の装飾具本体を構成する底部材の平面図である。なお、図４において、底部材１０は、図５のIV−IV線に沿う断面で示されている。
【００２７】
図５に示すように、底部材１０の底面部１０ａには、中心に設けられ、中心シャフト６ｃを通すための貫通穴１０ｃと、半径方向スロット１０ｄと、半径方向スロット１０ｄから連続して形成された円弧状スロット１０ｅが設けられている。半径方向スロット１０ｄは、貫通穴１０ｃを中心とする円の半径方向に延びる長穴であり、貫通穴１０ｃに対して対称に２つ形成されている。円弧状スロット１０ｅは、半径方向スロット１０ｄの外側の端部から連続して形成された長穴であり、貫通穴１０ｃを中心とする円の円周上を通る円弧状に形成されている。また、円弧状スロット１０ｅも、貫通穴１０ｃに対して点対称の位置に２つ形成されている。本実施形態においては、円弧状スロット１０ｅは、貫通穴１０ｃを中心とする中心角約７０度に亘って形成されている。好ましくは、円弧状スロットは、中心角約４５乃至１２０度に亘って形成する。
【００２８】
さらに、円弧状スロット１０ｅの、半径方向スロット１０ｄとは反対側の端部には、半径方向に延びるＬ字形部材受入凹部１０ｆが夫々形成されている。このＬ字形部材受入凹部１０ｆは、装飾具本体４と装飾具ベース６が適所に連結された際にＬ字形部材６ｂの平行部を受け入れ、装飾具本体４が装飾具ベース６に対して容易に回動されないように保持する。
【００２９】
次に、装飾具本体４と装飾具ベース６を連結する手順を説明する。
まず、図１に示すように、右身頃２ａに取り付けられた装飾具ベース６のＬ字形部材６ｂ及び中心シャフト６ｃが、左身頃２ｂに設けられたボタン穴２ｃを貫通するように、右身頃２ａと左身頃２ｂを重ね合わせる（図１における第２ボタンの部分の状態）。次に、装飾具本体４を、Ｌ字形部材６ｂの平行部と底面部１０ａの半径方向スロット１０ｄが整合するように、装飾具ベース６に重ねる。ここで、装飾具ベース６の中心シャフト６ｃは、Ｌ字形部材６ｂよりも突出するように構成されている。このため、まず、中心シャフト６ｃの先端を底部材１０の貫通穴１０ｃに挿入し、その状態で適宜、装飾具本体４を回動させることにより、手探りでも容易にＬ字形部材６ｂの平行部と半径方向スロット１０ｄを整合させることができる。
【００３０】
Ｌ字形部材６ｂの平行部と半径方向スロット１０ｄを整合させた状態で、装飾具本体４を装飾具ベース６に向けて押し込むと、Ｌ字形部材６ｂの平行部が、装飾具本体４に内蔵された円板１４を、コイルスプリング１２の付勢力に抗して底面部１０ａから押し上げる。これにより、Ｌ字形部材６ｂの平行部は、半径方向スロット１０ｄを通って、底面部１０ａの内側に入り込む。この状態で装飾具本体４を所定の方向に回動させることにより、Ｌ字形部材６ｂの基部は、円弧状スロット１０ｅの内部に受け入れられ、一方、Ｌ字形部材６ｂの平行部は底面部１０ａと係合されるようになる。さらに、Ｌ字形部材６ｂの基部が、円弧状スロット１０ｅの、半径方向スロット１０ｄとは反対側の端部に達するまで装飾具本体４を回動させると、Ｌ字形部材６ｂの平行部はＬ字形部材受入凹部１０ｆに受け入れられる。
【００３１】
この状態で使用者が装飾具本体４から手を離すと、コイルスプリング１２の付勢力により円板１４が底面部１０ａに向けて押し付けられ、Ｌ字形部材６ｂの平行部は付勢力によりＬ字形部材受入凹部１０ｆの中に押し込まれる。これにより装飾具本体４の偶発的な回動が防止され、使用者が意図しないときに装飾具本体４が装飾具ベース６から外れるのが防止される。このようにして、装飾具本体４と装飾具ベース６は、左身頃２ｂを挟んで着脱可能に連結される。また、この際、本実施形態の装飾具１は、通常のボタンと同様に、右身頃２ａと左身頃２ｂを連結するように機能する。
【００３２】
本発明の第１実施形態の装飾具によれば、装飾具本体を装飾具ベースのプレート部全面で支持しているので、装飾具本体に過大な力が加わった場合に、衣類の布地を傷めてしまうのを防止することができる。
また、本実施形態の装飾具によれば、装飾具本体を装飾具ベースに対して回動させるだけで、装飾具本体を容易に着脱することができる。また、単一の装飾具ベースと着脱可能な複数の装飾具本体を用意しておくことにより、使用者は、装飾具本体を好みに応じて交換し、多様な装飾を楽しむことができる。
【００３３】
なお、上述した本発明の第１実施形態において、装飾具は衣類の左右の身頃を連結するためのボタン穴に取り付けられていたが、本発明の装飾具は、ジャケットの襟に設けられているボタン穴等、衣類に設けられた任意のボタン穴に取り付けることができる。また、上述した本発明の第１実施形態においては、装飾具ベースは衣類の内側の身頃に取り付けられており、装飾具ベースと装飾具本体を連結することにより左右の身頃が連結されるように構成されていたが、装飾具ベースは、必ずしも内側の身頃に取り付けなくても良い。
【００３４】
また上述した実施形態においては、Ｌ字形部材の平行部は半径方向内方に曲げられていたが、平行部は半径方向外方に向けられていても良い。この場合には、底面部の半径方向スロットを、円弧状スロットから半径方向外方に向けて形成する。
【００３５】
次に、図６乃至図８を参照して、本発明の第２実施形態による装飾具を説明する。本実施形態の装飾具は、装飾具ベースの構成と、装飾具本体の底部材の構成が上述した第１実施形態とは異なる。従って、ここでは本実施形態の、第１実施形態とは異なる点のみを説明し、同様の部分については説明を省略する。図６は、本発明の第２実施形態による装飾具を衣類に取り付ける様子を示す図である。図７は、本実施形態における装飾具ベースを示す斜視図である。図８は、本実施形態において装飾具本体を構成する底部材の平面図である。
【００３６】
図６に示すように、本発明の第２実施形態による装飾具１００は、衣類２の内側の身頃２ａに取り付けられるスナップ止め部材である雄スナップ１０３と、この雄スナップ１０３と着脱可能に構成された装飾具ベース１０６と、この装飾具ベース１０６と連結される装飾具本体１０４と、を有する。
【００３７】
雄スナップ１０３は、衣類の左右の身頃等を留めるために使用される通常のスナップの凸側であり、本実施形態においては、内側の身頃２ａ（図６においては右身頃）に縫いつけられている。一方、装飾具ベース１０６の背面側、即ち、雄スナップ１０３と向き合う側には、雄スナップ１０３と着脱可能に結合されるスナップ結合部である雌スナップ部１０６ｄが形成されている。雌スナップ部１０６ｄは、通常のスナップの凹側と同様に、雄スナップ１０３の凸部を着脱可能に受け入れるように構成されている。
【００３８】
また、装飾具ベース１０６は、図７に示すように、左身頃２ｂの裏側に配置されるプレート部１０６ａと、このプレート部１０６ａに設けられた連結部である門形部材１０６ｂと、を有する。
【００３９】
プレート部１０６ａは長円形の金属の薄板によって構成されており、衣類の身頃等の布地の裏側に配置されるように構成されている。また、変形例として、プレート部１０６ａは布地の裏側に縫い付け、接着し、又は鳩目等の金具で固定できるように構成しても良い。
【００４０】
門形部材１０６ｂは、プレート部１０６ａからほぼ直角に立ち上がるように形成された２つの基部と、これらの基部の先端を連結するようにプレート部１０６ａに対してほぼ平行に延びる平行部と、を備えた門形に曲げられた針金状の部材である。
【００４１】
装飾具本体１０４は、第１実施形態と同様に、装飾カバーと、この装飾カバーの下側に嵌め込まれる底部材１１０と、これらの間に配置されるコイルスプリング及び円板と、を有する。
【００４２】
底部材１１０は、図８に示すように、係合部である円形の底面部１１０ａと、その周囲に形成された縁部１１０ｂを有する概ね盆状の部材である。また、底面部１１０ａには、直線状スロット１１０ｄと、直線状スロット１１０ｄから連続して形成された円弧状スロット１１０ｅが設けられている。直線状スロット１１０ｄは、円形の底部材１１０の直径に沿って延びる長穴である。円弧状スロット１１０ｅは、直線状スロット１１０ｄの両端部から連続して形成された長穴であり、直線状スロット１１０ｄを直径とする円の円周上を通る円弧状に形成されている。また、円弧状スロット１１０ｅは、円の中心点に対して点対称の位置に形成されている。本実施形態においては、円弧状スロット１１０ｅは、中心角約７０度に亘って形成されている。好ましくは、円弧状スロットは、中心角約４５乃至１２０度に亘って形成する。
【００４３】
次に、装飾具本体１０４と装飾具ベース１０６を連結する手順を説明する。
まず、図６に示すように、装飾具ベース１０６の門形部材１０６ｂが左身頃２ｂに設けられたボタン穴２ｃを貫通するように、装飾具ベース１０６のプレート部１０６ａを左身頃２ｂの裏側に配置する（図６における第１ボタンの部分の状態）。次に、装飾具本体１０４を、門形部材１０６ｂの平行部と底面部１１０ａの直線状スロット１１０ｄが整合するように、装飾具ベース１０６に重ねる。
【００４４】
門形部材１０６ｂの平行部と直線状スロット１１０ｄを整合させた状態で、装飾具本体１０４を装飾具ベース１０６に向けて押し込むと、門形部材１０６ｂの平行部が、装飾具本体１０４に内蔵された円板１４を、コイルスプリング１２の付勢力に抗して底面部１１０ａから押し上げる。これにより、門形部材１０６ｂの平行部は、直線状スロット１１０ｄを通って、底面部１１０ａの内側に入り込む。この状態で装飾具本体１０４を所定の方向に回動させることにより、門形部材１０６ｂの基部は、円弧状スロット１１０ｅの内部に受け入れられ、一方、門形部材１０６ｂの平行部は底面部１１０ａと係合されるようになる。さらに、門形部材１０６ｂの基部が、円弧状スロット１１０ｅの、直線状スロット１１０ｄとは反対側の端部に達するまで装飾具本体１０４を回動させる。
【００４５】
この状態で使用者が装飾具本体１０４から手を離すと、コイルスプリング１２の付勢力により円板１４が底面部１１０ａに向けて押し付けられ、門形部材１０６ｂの平行部は、円板１４と底面部１１０ａの間に挟み付けられる。このようにして、装飾具本体１０４と装飾具ベース１０６は、左身頃２ｂを挟んで着脱可能に連結される。また、装飾具ベース１０６の背面側に設けられた雌スナップ部１０６ｄと、右身頃２ａに取り付けられた雄スナップ１０３を連結することにより、通常のスナップと同様に、右身頃２ａと左身頃２ｂを留めることができる。
【００４６】
本発明の第２実施形態の装飾具によれば、装飾具ベースの背面側に雌スナップ部が設けられ、これを装飾具ベースが取り付けられた布地とは別の第２の布地に取り付けられた雄スナップと着脱することができるので、装飾具を通常のスナップのように機能させることができる。
【００４７】
次に、図９乃至図１５を参照して、本発明の第３実施形態による装飾具を説明する。本実施形態の装飾具は、装飾具本体が二分割構造にされている点が上述した第１実施形態とは異なる。従って、ここでは本実施形態の、第１実施形態とは異なる点のみを説明し、同様の部分については説明を省略する。図９は、本発明の第３実施形態による装飾具の装飾具本体の平面図である。図１０は、本実施形態における装飾具本体の断面図である。なお、本実施形態において、装飾具ベースは図３に示したものと同一である。
【００４８】
図９及び図１０に示すように、本実施形態においては、装飾具本体２０４は着脱可能に構成された２つの部材から構成されている、即ち、装飾具本体２０４は、中央に配置される中央装飾部２０４ａと、この中央装飾部２０４ａの背面及び周囲を取り囲むように配置される周縁装飾部２０４ｂから構成されている。後述するように、中央装飾部２０４ａと周縁装飾部２０４ｂは２つのスライド金具２２０を移動させることにより着脱される。
【００４９】
次に、図１１乃至図１３を参照して、中央装飾部２０４ａの構成を説明する。図１１は、中央装飾部２０４ａを分解した状態を示す側面断面図である。図１２は、中央装飾部２０４ａを構成する底部材の平面図である。また、図１３は、中央装飾部２０４ａに内蔵されている円板の平面図である。なお、図１１において、底部材は、図１２のXI−XI線に沿う断面で示されている。
【００５０】
中央装飾部２０４ａは、図１１に示すように、装飾カバー２０８と、この装飾カバー２０８の下側に嵌め込まれる底部材２１０と、これらの間に配置されるコイルスプリング２１２及び円板２１４と、を有する。
【００５１】
装飾カバー２０８は、底部材２１０を受け入れる底部材受入部２０８ａが底面に形成されたカップ状の部材であり、その上面は貴石２０８ｂ等により装飾が施されている。また、装飾カバー２０８は、底部材２１０を底部材受入部２０８ａに圧入することにより、底部材２１０と嵌着されるように構成されている。
【００５２】
底部材２１０は、係合部である円形の底面部２１０ａと、その周囲に形成された縁部２１０ｂを有する概ね盆状の部材である。また、図１２に示すように、底部材２１０の底面部２１０ａには、中心に設けられ、中心シャフト６ｃを通すための貫通穴２１０ｃと、半径方向スロット２１０ｄと、半径方向スロット２１０ｄから連続して形成された円弧状スロット２１０ｅが設けられている。半径方向スロット２１０ｄは、貫通穴２１０ｃを中心とする円の半径方向に延びる長穴であり、貫通穴２１０ｃに対して対称に２つ形成されている。円弧状スロット２１０ｅは、半径方向スロット２１０ｄの外側の端部から連続して形成された長穴であり、貫通穴２１０ｃを中心とする円の円周上を通る円弧状に形成されている。また、円弧状スロット２１０ｅも、貫通穴２１０ｃに対して点対称の位置に２つ形成されている。本実施形態においては、円弧状スロット２１０ｅは、貫通穴２１０ｃを中心とする中心角約７０度に亘って形成されている。好ましくは、円弧状スロットは、中心角約４５乃至１２０度に亘って形成する。
【００５３】
さらに、各円弧状スロット２１０ｅの半径方向内方には、円弧状スロット２１０ｅに沿って設けられた概ね扇形の扇形凹部２１０ｆが夫々形成されている。この扇形凹部２１０ｆは、後述するように、円板２１４の隆起部と協働して、Ｌ字形部材６ｂの平行部を保持するように作用する。
【００５４】
また、底面部２１０ａには、貫通穴２１０ｃに対して対称に設けられた２つの位置決め突起２１０ｇが形成されている。この位置決め突起２１０ｇは、円板２１４の位置決め穴２１４ｂに挿入され、円板２１４の回転位置を位置決めするように構成されている。
【００５５】
さらに、底面部２１０ａには、貫通穴２１０ｃに対して対称に設けられた２つのスライド金具挿入口２１０ｈと、このスライド金具挿入口２１０ｈから夫々延びるスライドスロット２１０ｉが形成されている。スライド金具挿入口２１０ｈはスライド金具２２０のヘッド２２０ａを受け入れ可能な四角形の穴であり、スライドスロット２１０ｉは、スライド金具挿入口２１０ｈから半径方向外方に延びる長穴である。後述するように、スライド金具２２０がスライドスロット２１０ｉに受け入れられることにより、中央装飾部２０４ａと周縁装飾部２０４ｂが着脱可能に結合される。
【００５６】
コイルスプリング２１２は、その下側に配置された円板２１４を付勢して、底部材２１０の底面部２１０ａに押し付けるように構成されている。
円板２１４は、図１３に示すように、装飾具本体２０４内に配置される円形の薄板状の部材であり、その中心には、中心シャフト６ｃを通すための中心穴２１４ａが設けられている。さらに、円板２１４には、２つの位置決め突起２１０ｇと整合する位置に、位置決め穴２１４ｂが夫々形成されており、これらの位置決め穴２１４ｂが２つの位置決め突起２１０ｇを夫々受け入れることにより、底部材２１０に対する円板２１４の回転位置が位置決めされる。
【００５７】
さらに、円板２１４の、底面部２１０ａと向かい合う側の面には、２つの扇形隆起部２１４ｃと、２つの係止用隆起部２１４ｄが形成されている。扇形隆起部２１４ｃは、中心穴２１４ａに対して点対称の位置に設けられた概ね扇形の隆起部であり、円板２１４が底面部２１０ａ上の所定の位置に配置されると、底面部２１０ａに形成された扇形凹部２１０ｆの中に落とし込まれるように形成されている。即ち、扇形隆起部２１４ｃは、扇形凹部２１０ｆの中に落とし込まれると、半径方向スロット２１０ｄを覆うように、図１２において一点鎖線で示された位置に落とし込まれる。
【００５８】
また、係止用隆起部２１４ｄは、中心穴２１４ａに対して点対称の位置に設けられた概ね四角形の隆起部であり、円板２１４が底面部２１０ａ上の所定の位置に配置されると、スライド金具挿入口２１０ｈ及びスライドスロット２１０ｉを取り囲むように形成された凹部の中に落とし込まれるように形成されている。即ち、係止用隆起部２１４ｄは、凹部の中に落とし込まれるとスライド金具挿入口２１０ｈを覆うように、図１２において一点鎖線で示された位置に落とし込まれる。
【００５９】
次に、図１４及び図１５を参照して、周縁装飾部２０４ｂの構成を説明する。図１４は周縁装飾部２０４ｂの側面断面図であり、図１５は周縁装飾部２０４ｂの平面図である。
【００６０】
図１４及び図１５に示すように、周縁装飾部２０４ｂは、基板部２１６と、その周囲に設けられた装飾部２１８と、を有する。基板部２１６は、円形の薄板であり、その上面に中央装飾部２０４ａが取り付けられるように構成されている。また、図１５に示すように、基板部２１６には、中心に設けられ、中心シャフト６ｃを通すための貫通穴２１６ａと、半径方向スロット２１６ｂと、半径方向スロット２１６ｂから連続して形成された円弧状スロット２１６ｃが設けられている。半径方向スロット２１６ｂは、貫通穴２１６ａを中心とする円の半径方向に延びる長穴であり、貫通穴２１６ａに対して対称に２つ形成されている。なお、基板部２１６の半径方向スロット２１６ｂは、底面部２１０ａの半径方向スロット２１０ｄと整合するように形成されている。
【００６１】
円弧状スロット２１６ｃは、半径方向スロット２１６ｂの外側の端部から連続して形成された長穴であり、貫通穴２１６ａを中心とする円の円周上を通る円弧状に形成されている。また、円弧状スロット２１６ｃも、貫通穴２１６ａに対して点対称の位置に２つ形成されている。また、同様に、基板部２１６の円弧状スロット２１６ｃは、底面部２１０ａの円弧状スロット２１０ｅと整合するように形成されている。
【００６２】
さらに、基板部２１６には、貫通穴２１６ａを中心とする円の半径方向に延びる長穴であるガイドスロット２１６ｄが形成されており、このガイドスロット２１６ｄは、貫通穴２１６ｃに対して対称に２つ形成されている。また、各ガイドスロット２１６ｄには、スライド金具２２０が摺動可能に取り付けられている。
【００６３】
スライド金具２２０は、基板部２１６の上面に配置されるヘッド２２０ａと、ヘッド２２０ａからガイドスロット２１６ｄを通って延びる軸部と、基板部２１６の下面に配置される拡張部と、を有する。なお、ヘッド２２０ａ及び拡張部はガイドスロット２１６ｄの幅よりも大きく形成されているので、スライド金具２２０は、ガイドスロット２１６ｄ内で摺動可能であるが、ガイドスロット２１６ｄから脱落することはない。
【００６４】
本発明の第３実施形態による装飾具の組立手順及び取付手順を説明する。
まず、周縁装飾部２０４ｂの各スライド金具２２０を、半径方向最内方の位置まで摺動させる。この状態で各スライド金具２２０のヘッド２２０ａと、底部材２１０のスライド金具挿入口２１０ｈが整合するように、中央装飾部２０４ａを周縁装飾部２０４ｂの上に重ねる。次に、使用者は、スライド金具２２０を中央装飾部２０４ａに向けて押し込みながら、スライド金具２２０を半径方向外方に摺動させる。
【００６５】
ヘッド２２０ａがスライド金具挿入口２１０ｈに受け入れられている状態においてスライド金具２２０が押し込まれると、ヘッド２２０ａは円板２１４の係止用隆起部２１４ｄを押圧して、円板２１４をコイルスプリング２１２の付勢力に抗して底面部２１０ａから押し上げる。これにより、ヘッド２２０ａは底面部２１０ａを越えて中央装飾部２０４ａの内部に入り込む。この状態でスライド金具２２０を半径方向外方に摺動させると、スライド金具２２０の軸部はスライドスロット２１０ｉの内部に移動される。スライド金具２２０がスライドスロット２１０ｉの中に移動されると、スライドスロット２１０ｉの縁とヘッド２２０ａが係合するようになり、コイルスプリング２１２の付勢力でスライド金具２２０が押し出されることはない。
【００６６】
スライド金具２２０を更に半径方向外方に移動され、ヘッド２２０ａと円板２１４の係止用隆起部２１４ｄが当接しなくなると、係止用隆起部２１４ｄは付勢力によりスライド金具挿入口２１０ｈ周囲の凹部の中に落とし込まれる。これによりスライド金具挿入口２１０ｈが係止用隆起部２１４ｄによって覆われる。このため、スライド金具２２０の半径方向内方への偶発的な移動が防止され、使用者の意に反して中央装飾部２０４ａが周縁装飾部２０４ｂから脱落するのを防止することができる。
各スライド金具２２０を半径方向外方の所定の位置まで摺動させることにより、中央装飾部２０４ａは周縁装飾部２０４ｂに確実に結合される。
【００６７】
次に、中央装飾部２０４ａと周縁装飾部２０４ｂを結合した装飾具本体２０４を、装飾具ベース６に連結する手順を説明する。
まず、Ｌ字形部材６ｂの平行部と、基板部２１６及び底面部２１０ａの整合されている半径方向スロットを整合させ、この状態で装飾具本体２０４を装飾具ベース６に向けて押し込む。この際、Ｌ字形部材６ｂの平行部が、装飾具本体２０４に内蔵された円板２１４を、コイルスプリング２１２の付勢力に抗して底面部２１０ａから押し上げる。これにより、Ｌ字形部材６ｂの平行部は、半径方向スロット２１０ｄを通って、底面部２１０ａの内側に入り込む。この状態で装飾具本体２０４を所定の方向に回動させることにより、Ｌ字形部材６ｂの基部は、基板部２１６及び底面部２１０ａの整合されている円弧状スロットの内部に受け入れられる。一方、Ｌ字形部材６ｂの平行部は扇形凹部２１０ｆと係合されるようになる。さらに、Ｌ字形部材６ｂの基部が、円弧状スロット２１０ｅの、半径方向スロット２１０ｄとは反対側の端部に達するまで装飾具本体２０４を回動させると、Ｌ字形部材６ｂの平行部は扇形凹部２１０ｆの端部まで移動される。
【００６８】
この状態で使用者が装飾具本体４から手を離すと、コイルスプリング２１２の付勢力により円板２１４が底面部２１０ａに向けて押し付けられ、円板２１４の扇形隆起部２１４ｃは、底面部２１０ａの扇形凹部２１０ｆの中に落とし込まれる。これにより、Ｌ字形部材６ｂの平行部は、扇形凹部２１０ｆ端部の、扇形隆起部２１４ｃが落とし込まれない部分（図１２の扇形凹部２１０ｆ内の一点鎖線で囲まれていない部分）に保持される。これにより装飾具本体２０４の偶発的な回動が防止され、使用者が意図しないときに装飾具本体２０４が装飾具ベース６から外れるのが防止される。このようにして、装飾具本体２０４と装飾具ベース６は、左身頃２ｂを挟んで着脱可能に連結される。
【００６９】
本発明の第３実施形態の装飾具によれば、装飾具本体が２つの部材から構成されているので、それらの組み合わせを変えることにより、使用者は、より多様な装飾を楽しむことができる。例えば、高価な貴石が取り付けられた中央装飾部に、様々な周縁装飾部を組み合わせて使用することにより、１つの貴石を様々な装飾に使用することができる。
【００７０】
次に、図１６乃至図１８を参照して、本発明の第４実施形態による装飾具を説明する。本実施形態の装飾具は、装飾具ベースの取付構造が、上述した第１実施形態とは異なる。従って、ここでは本実施形態の、第１実施形態とは異なる点のみを説明し、同様の部分については説明を省略する。図１６は、本発明の第４実施形態の装飾具における装飾具ベースの取付構造を示す斜視図である。図１７は、本実施形態において、装飾具ベースを取り付けるために使用される装飾具ベース取付具の（ａ）正面図、及び（ｂ）側面断面図である。なお、本実施形態において、装飾具本体は図２又は図１０に示したものと同一のものを使用することができる。
【００７１】
図１６（ａ）に示すように、本実施形態においては、装飾具ベース３０６の背面側に、２本の糸３０７が取り付けられている。さらに、この糸３０７は、第２の布地である右身頃２ａに形成したベース取付穴２ｄに通される。図１６（ｂ）に示すように、右身頃２ａの裏側に通された糸３０７は、右身頃２ａの裏側に配置された装飾具ベース取付具３３０に絡めて固定される。これにより、装飾具ベース３０６は、右身頃２ａに着脱可能に取り付けられる。
【００７２】
図１７に示すように、本発明の第４実施形態の装飾具に使用される装飾具ベース取付具３３０は、取付具本体部３３２と、糸係留部３３４と、を有する。また、取付具本体部３３２と糸係留部３３４との間には、装飾具ベース３０６を取り付けるための糸３０７の端部を挟んで固定するための糸挟持部３３６が構成されている。本実施形態においては、取付具本体部３３２と糸係留部３３４は別体の部品によって夫々構成され、これらを嵌着することにより図１７に示す形状になる。
【００７３】
取付具本体部３３２は、本体部嵌着部３３２ａと、この本体部嵌着部の周囲に形成された本体部平板部３３２ｂと、を有する。
本体部嵌着部３３２ａは概ね円柱状に形成されており、この部分がスナップ式に糸係留部３３４に嵌め込まれることにより、取付具本体部３３２と糸係留部３３４が嵌着されるようになっている。また、本体部嵌着部３３２ａには、円柱の軸方向に延びる２つの主貫通孔３３２ｃが設けられている。
【００７４】
本体部平板部３３２ｂは、本体部嵌着部３３２ａの端面に形成された円盤状の部分であり、本体部嵌着部３３２ａと同心円状に形成されている。また、本体部平板部３３２ｂには、縫着孔である円弧状の長穴３３２ｄが４つ形成されており、この長穴３３２ｄに糸を通して縫いつけることにより、取付具本体部３３２を布地に縫着することができるようになっている。さらに、本体部平板部３３２ｂの外周には、円盤の厚さが厚くなった隆起部３３２ｅが形成されている。
【００７５】
糸係留部３３４は、円環状の糸係留部嵌着部３３４ａと、この糸係留部嵌着部３３４ａから放射方向に延びる４本の糸絡め腕３３４ｂと、を有する。
糸係留部嵌着部３３４ａは円環状の部分であり、この中に本体部嵌着部３３２ａをスナップ式に受け入れることによって、取付具本体部３３２と糸係留部３３４が嵌着されるようになっている。糸絡め腕３３４ｂは、円環状の糸係留部嵌着部３３４ａから等間隔に放射状に延びるように４本形成されており、その先端は幅が広くなり円弧状の形態になっている。この糸絡め腕３３４ｂの先端の円弧状の部分は、厚さが厚くなっており、隆起部３３４ｃを構成している。
【００７６】
本体部平板部３３２ｂに形成された隆起部３３２ｅ及び糸絡め腕３３４ｂの先端に形成された隆起部３３４ｃは、取付具本体部３３２と糸係留部３３４が嵌着されると隙間なく当接し、糸をそれらの間に確実に挟持できるようになっている。
【００７７】
次に、図１６及び図１８を参照して、本発明の第４実施形態による装飾具において、装飾具ベース３０６を取り付ける手順を説明する。図１８は、糸係留部３３４に対する糸の絡め方の一例を示す図である。
【００７８】
まず、図１６（ａ）に示すように、布地の装飾具ベース３０６を取り付けるべき箇所に、ベース取付穴２ｄを形成しておく。好ましくは、ベース取付穴２ｄの縁がほつれることのないように、ボタン穴かがりの要領で穴の縁をかがり縫いしておく。一方、図１６（ｂ）に示すように、布地の裏側にベース取付穴２ｄと主貫通孔３３２ｃが整合するように装飾具ベース取付具３３０を配置する。次いで、本体部平板部３３２ｂの長穴３３２ｄを利用して装飾具ベース取付具３３０を縫着糸２ｅで布地に縫着する。
【００７９】
次に、図１６（ａ）に示すように、装飾具ベース３０６から延びる糸３０７の両端をベース取付穴２ｄに挿通させ、さらに、ベース取付穴２ｄを通った糸３０７を、装飾具ベース取付具３３０の２つの主貫通孔３３２ｃに夫々挿通させる。好ましくは、糸３０７を、容易にベース取付穴２ｄや主貫通孔３３２ｃに挿通させることができるように、糸３０７の両端部を任意適当な接着剤等で固めておく。
【００８０】
図１８（ａ）に示すように、まず、図１８（ａ）における左側の主貫通孔３３２ｃを通って布地の裏側に挿通された糸３０７を、左側の糸絡め腕３３４ｂにその裏側から絡める。次いで、図１８（ｂ）に示すように、左側の糸絡め腕３３４ｂに絡めた糸３０７を下側の糸絡め腕３３４ｂに裏側から絡め、表側に出た糸を再び左側の糸絡め腕３３４ｂの裏側に通す。最後に、糸３０７の端部を、本体部平板部３３２ｂの隆起部３３２ｅと糸絡め腕３３４ｂの隆起部３３４ｃの間に挟んで固定する。この際、糸３０７の端部を糸絡め腕３３４ｂの先端の円弧状の部分に数回巻き付けるようにしても良い。
【００８１】
同様に、図１８（ｃ）に示すように、右側の主貫通孔３３２ｃを通って布地の裏側に挿通された糸３０７を、右側及び上側の糸絡め腕３３４ｂに絡め、最後に糸３０７の端部を固定する。これにより、装飾具ベース３０６を取り付ける作業が終了する。なお、装飾具ベース３０６を他のものに交換する場合や、衣類をクリーニングに出す際等に装飾具ベース３０６を取り外す場合には、上記とは逆の手順で糸３０７を糸絡め腕３３４ｂから外し、装飾具ベース３０６及び糸３０７をベース取付穴２ｄから抜き取ることにより、装飾具ベース３０６を容易に取り外すことができる。
【００８２】
本発明の第４実施形態のボタン類取付具によれば、挟持された糸を糸挟持部から抜き、糸係留部に絡めた糸をもとに戻すだけで、装飾具ベースを容易に着脱することができる。
【００８３】
以上、本発明の好ましい実施形態を説明したが、上述した実施形態に種々の変更を加えることができる。
【図面の簡単な説明】
【００８４】
【図１】本発明の第１実施形態による装飾具を衣類に取り付けた状態を示す斜視図である。
【図２】本発明の第１実施形態による装飾具を衣類に取り付ける状態を示す断面図である。
【図３】本発明の第１実施形態による装飾具の装飾具ベースを示す斜視図である。
【図４】本発明の第１実施形態による装飾具の装飾具本体を分解した状態を示す側面断面図である。
【図５】本発明の第１実施形態による装飾具の装飾具本体を構成する底部材の平面図である。
【図６】本発明の第２実施形態による装飾具を衣類に取り付ける様子を示す斜視図である。
【図７】本発明の第２実施形態における装飾具ベースを示す斜視図である。
【図８】本発明の第２実施形態において装飾具本体を構成する底部材の平面図である。
【図９】本発明の第３実施形態による装飾具の装飾具本体の平面図である。
【図１０】本発明の第３実施形態における装飾具本体の断面図である。
【図１１】中央装飾部を分解した状態を示す側面断面図である。
【図１２】中央装飾部を構成する底部材の平面図である。
【図１３】中央装飾部に内蔵されている円板の平面図である。
【図１４】周縁装飾部の側面断面図である。
【図１５】周縁装飾部の平面図である。
【図１６】本発明の第４実施形態の装飾具における装飾具ベースの取付構造を示す斜視図である。
【図１７】装飾具ベースを取り付けるために使用される装飾具ベース取付具の（ａ）正面図、及び（ｂ）側面断面図である。
【図１８】糸係留部に対する糸の絡め方の一例を示す図である。
【符号の説明】
【００８５】
１        本発明の第１実施形態による装飾具
２        衣類
２ａ      右身頃
２ｂ      左身頃
２ｃ      ボタン穴
２ｄ      ベース取付穴
２ｅ      縫着糸
４        装飾具本体
６        装飾具ベース
６ａ      プレート部
６ｂ      Ｌ字形部材（連結部）
６ｃ      中心シャフト
８        装飾カバー
１０      底部材
１０ａ    底面部（係合部）
１０ｂ    縁部
１０ｃ    貫通穴
１０ｄ    半径方向スロット
１０ｅ    円弧状スロット
１０ｆ    Ｌ字形部材受入凹部
１２      コイルスプリング
１４      円板
１４ａ    中心穴
１００    本発明の第２実施形態による装飾具
１０３    雄スナップ（スナップ止め部材）
１０４    装飾具本体
１０６    装飾具ベース
１０６ａ  プレート部
１０６ｂ  門形部材
１０６ｄ  雌スナップ部（スナップ結合部）
１１０    底部材
１１０ａ  底面部
１１０ｂ  縁部
１１０ｄ  直線状スロット
１１０ｅ  円弧状スロット
２０４    装飾具本体
２０４ａ  中央装飾部
２０４ｂ  周縁装飾部
２０８    装飾カバー
２０８ａ  底部材受入部
２０８ｂ  貴石
２１０    底部材
２１０ａ  底面部
２１０ｂ  縁部
２１０ｃ  貫通穴
２１０ｄ  半径方向スロット
２１０ｅ  円弧状スロット
２１０ｆ  扇形凹部
２１０ｇ  位置決め突起
２１０ｈ  スライド金具挿入口
２１０ｉ  スライドスロット
２１２    コイルスプリング
２１４    円板
２１４ａ  中心穴
２１４ｂ  位置決め穴
２１４ｃ  扇形隆起部
２１４ｄ  係止用隆起部
２１６    基板部
２１６ａ  貫通穴
２１６ｂ  半径方向スロット
２１６ｃ  円弧状スロット
２１６ｄ  ガイドスロット
２１８    装飾部
２２０    スライド金具
２２０ａ  ヘッド
３０６    装飾具ベース
３０７    糸
３３０    装飾具ベース取付具
３３２    取付具本体部
３３２ａ  本体部嵌着部
３３２ｂ  本体部平板部
３３２ｃ  主貫通孔
３３２ｄ  長穴
３３２ｅ  隆起部
３３４    糸係留部
３３４ａ  糸係留部嵌着部
３３４ｂ  糸絡め腕
３３４ｃ  隆起部
３３６    糸挟持部
【図１】
2009165698.tif 000003
【図２】
2009165698.tif 000004
【図３】
2009165698.tif 000005
【図４】
2009165698.tif 000006
【図５】
2009165698.tif 000007
【図６】
2009165698.tif 000008
【図７】
2009165698.tif 000009
【図８】
2009165698.tif 000010
【図９】
2009165698.tif 000011
【図１０】
2009165698.tif 000012
【図１１】
2009165698.tif 000013
【図１２】
2009165698.tif 000014
【図１３】
2009165698.tif 000015
【図１４】
2009165698.tif 000016
【図１５】
2009165698.tif 000017
【図１６】
2009165698.tif 000018
【図１７】
2009165698.tif 000019
【図１８】
2009165698.tif 000020